(57)【要約】【課題】動植物、物、食物、人間、機械、乗物、漫画・アニメのキャラクター（以後モデルと呼ぶ。）等の形と色を有し製造が簡単で人目を惹き色褪せせず丈夫で安全で砂浜を歩きやすいビーチサンダルを提供する。【解決手段】上から見るとモデルを象った形と色とデザイン。底板部３と中板部４と天板部５で形成されたサンダル本体１と鼻緒２からなる。天板部５は色を有した３つ以上の小片８の組み合わせ。または、天板部５上面にプリント印刷。突出部９は足を載せる部分７より外側に形成。天板部５に穴１０を設ける。小片８の周辺にスペース１５を設けたスリット等を形成する。円状の小片８，１４と輪状の小片８，１３で目を形成。略楕円状の小片８，１２と略円弧状の小片８，１１で鱗や花びらを形成。サンダル本体１は合成樹脂。小片の色は合成樹脂自体の色またはプリント印刷。【選択図】図１
0003126479.tif 000002
【実用新案登録請求の範囲】
【請求項１】
上から見た形と色とデザインが動物、植物、物、食物、人間、機械、乗物または漫画・アニメのキャラクター等を象ったビーチサンダルであり、サンダル本体と鼻緒からなり、サンダル本体は底板部と中板部と天板部の三層からなり、サンダル本体の平面の大きさは足の大きさ以上に形成され、天板部は中板部の上に接着された少なくとも３つ以上の小片からなり、中板部の上に配された小片一個一個の色と形によりサンダル本体上面の色とデザインが形成されていることを特徴とするビーチサンダル。
【請求項２】
上から見た形と色とデザインが動物、植物、物、食物、人間、機械、乗物または漫画・アニメのキャラクター等を象ったビーチサンダルであり、サンダル本体と鼻緒からなり、サンダル本体は底板部と中板部と天板部の三層からなり、サンダル本体の平面の大きさは足の大きさ以上に形成され、天板部の上面のプリント印刷によりサンダル本体上面の色とデザインが形成されていることを特徴とするビーチサンダル。
【請求項３】
サンダル本体の底面は平面形状を左右反転させた形であり、サンダル本体の底面が接地する地面の形はサンダル本体の平面形状と同形であり、履いて歩くとモデルとなった動物、植物、物、食物、人間、機械、乗物または漫画・アニメのキャラクター等の形をした足跡が残せることを特徴とする請求項１または２記載のビーチサンダル。
【請求項４】
左右のサンダル本体で１つの動物、植物、物、食物、人間、機械、乗物または漫画・アニメのキャラクター等を象っていることを特徴とする請求項１、２または３記載のビーチサンダル。
【請求項５】
サンダル本体の平面形状は、少なくとも足を載せる部分を確保した上で、例えば口や嘴や耳や角や鰭や鋏や手や足や尾や羽等の突出部が少なくとも足を載せる部分より外側に形成されたことを特徴とする請求項１、２、３または４記載のビーチサンダル。
【請求項６】
天板部に中板部が露出するような穴が少なくとも１つ以上形成され、穴周辺の天板部の色と中板部の色とが異なっていることを特徴とする請求項１、２、３、４または５記載のビーチサンダル。
【請求項７】
少なくとも１つ以上の小片の周辺に中板部が露出するようなスリット等のスペースを少なくとも１箇所以上形成し、スペースに隣接している小片の色と中板部の色とが異なっていることを特徴とする請求項１、３、４、５または６記載のビーチサンダル。
【請求項８】
円状の小片と少なくとも１つ以上の輪状の小片とを組み合わせて天板部に目状の模様を形成したことを特徴とする請求項１、３、４、５、６または７記載のビーチサンダル。
【請求項９】
略楕円状の小片と少なくとも１つ以上の略円弧状の小片とを組み合わせて天板部に鱗状の模様または花びら状の模様を形成したことを特徴とする請求項１、３、４、５、６、７または８記載のビーチサンダル。
【請求項１０】
サンダル本体を構成している底板部と中板部と天板部の小片は合成樹脂であり、サンダル本体上面の配色は合成樹脂自体の色によるものであることを特徴とする請求項１、３、４、５、６、７、８または９記載のビーチサンダル。
【請求項１１】
サンダル本体を構成している底板部と中板部と天板部の小片は合成樹脂であり、小片上面にプリント印刷を施したことを特徴とする請求項１、３、４、５、６、７、８または９記載のビーチサンダル。
【考案の詳細な説明】
【技術分野】
【０００１】
本考案は、動物、植物、物、食物、人間、機械、乗物、漫画・アニメのキャラクター等の形と色を有し、製造することが簡単で、人目を惹き、色褪せせず、丈夫で、安全で、砂浜を歩きやすいビーチサンダルに関するものである。
【背景技術】
【０００２】
従来のビーチサンダルについて述べる。
ビーチサンダルに求められる理想的な機能をいくつか挙げると、焼けるように熱い砂浜から足の裏を保護する機能、足もとから熱を逃がす機能、砂に足がとられないように歩きやすくする機能、足とくに指を怪我から守る機能、デザインで目を楽しませる機能、壊れにくい耐久機能等である。製造する側から見た場合は、製造工程が少ないほうが望ましい。
砂等の熱から足を守ることは従来のビーチサンダルで可能である。ビーチサンダルの底は焼けた砂の熱から足を守るために熱伝導性の低い素材を使用している。
足もとから熱を逃がすことも従来のビーチサンダルで可能である。ベルトや鼻緒は前が開放されここから指が出ているので、足元の熱を逃がすことができる（特許文献１の図２参照。）。
砂浜で歩くのは、素足よりもまだ従来のビーチサンダルを履いたほうが歩きやすい。砂浜が歩きにくい理由は、砂に足が沈むことと滑ることとが同時に起きているので、砂に足がとられるためである。素足は踵が細いことと指の間から砂が逃げるので沈みやすく、後ろに蹴るときの接地面積が狭くなるのですべりやすい。従来のビーチサンダルは、サンダル本体の形は足の形であり、サンダル本体の大きさは足の大きさとほぼ同じである（特許文献１の図１参照。）。従来のビーチサンダルは砂浜ではやはり沈むし、砂浜を歩くと足もとが滑って歩きにくく疲れやすい。
足を怪我から守ることは従来のビーチサンダルでもある程度は可能である。しかし、指先の怪我を完全に防ぐことはやはりできていない。それは、ベルトや鼻緒の前がオープンで指先が無防備に露出しているためである（特許文献１の図１参照。）。
従来もデザインの優れたビーチサンダルはあった。しかし、サンダル本体の形はどれも同じ形であり、天板にプリント（特許文献２第１図参照。）や着色により描かれた色や模様やアニメのキャラクター等は履けば足で隠れて見えなくなり、時間経過によって天板の色や模様が褪色したり剥げたりして消えてしまう。浜辺で皆が同じようなデザインのビーチサンダルを履いているので目立たないし、形に特徴が無いので履き間違えてしまいやすい。天板表面の色や模様はプリントまたは着色したものなので、時間がたてば色褪せたり剥げたりしてしまう。
砂浜やプールサイド等ではビーチサンダルの足跡が非常にくっきりと残りやすい。濡れたビーチサンダルでプールサイドを歩くとコンクリートの上に濡れた足跡が残る。波打ち際の水分を含んだ砂浜を歩くと型押しされたような足跡が残る。従来のビーチサンダルの足跡は足の形であり、それ以外にはない。サンダルの平面形状は足型なのでどのビーチサンダルの足跡も足の形になってしまい、僅かな違いとしてはスタンプのように残る底の模様程度なので、足跡で人目を惹くことはなかった。
複雑な構造を有したビーチサンダルは耐久性が低く壊れやすい。例えば特許文献２の透明フィルム表層とシート状基材のように異なる材料を組み合わせて接着した場合等は接着性が低く剥がれてしまいやすい。
従来のビーチサンダルは細部が細かく複雑な構造をしていたので製造が難しく、ビーチサンダル作りを終了した後に後処理としてプリントや着色を施しているため製造工程が多かった。
【特許文献１】特開２００５−３１２９０６号公報
【特許文献２】実開平０１−９９２０４号公報
【考案の開示】
【考案が解決しようとする課題】
【０００３】
上記した従来のビーチサンダルは、砂浜で歩いてみると、足が砂に沈んで滑るため砂に足がとられて歩きにくく疲れやすい。
足の指先の一番先の部分からビーチサンダルの前までの長さは、ほぼ０ｃｍから１．５ｃｍの間である。これではベルトや鼻緒から前に突き出している指先が何かにぶつかったり切ったり刺さったりする危険が高く、怪我から十分に保護できない。
足元の熱は、指先は開放されているので熱を逃がすことができるが、足裏は通気性が悪く蒸れて熱を逃がしにくい。
また、形が画一化されていて遊び心に欠ける。形に個性がないため、履いてもあまり目立たない。デザイン的に特徴が無くどれも似ているので履き間違えが起きやすかった。サンダル表面にプリントやペイントによるデザインをしても、足を載せて履いてしまえば見えない。サンダルの大きさが足とほぼ同じなので、表面の色やデザインはほとんど隠れてしまう。サンダルの表面に車や魚やキャラクターその他のデザインがあっても、サンダルを履いた状態では、何も見えない。ビーチサンダルの使用目的には、砂の熱から足を守るという実用性以外に、デザインを楽しむことや、目立つことで満足を得るといったことも含まれているが、この目的を十分に達成できるビーチサンダルは従来なかった。履いた状態でもビーチサンダルが目立つようにするためにベルトや鼻緒に何らかの装飾物を付加するというのが従来の発想である。しかし、ビーチサンダルに装飾物を取り付けると、そこが損壊しやすくなるという強度上のデメリットが出てくる。サンダルの表面に施されたペイントは、薄くなったり、履いているうちに磨り減って消えてしまったりしやすい。前記した実開平０１−９９２０４号公報の中敷材が、透明フィルム層の表面ではなく内側にペイントするのは、足裏等による直接の磨耗からペイントを保護するためであるが、透明フィルムの内側であっても徐々にではあるがプリントやペイントは薄くなって消えていく。
細かい構造を有した特に天板などは、耐久性が低く壊れやすい。
サンダル本体の構造が複雑で細かい部分があるため製造が難しく、また、ビーチサンダルそのものを作り終えた後でプリントや着色を施しているためその分製造工程が多いという問題があった。
【０００４】
本考案は、上記した従来技術の問題点を解決するビーチサンダルを提供することを目的とする。
【課題を解決するための手段】
【０００５】
上記目的を達成するため、請求項１記載のビーチサンダルは、上から見た形と色とデザインが動物、植物、物、食物、人間、機械、乗物または漫画・アニメのキャラクター等を象ったビーチサンダルであり、サンダル本体と鼻緒からなり、サンダル本体は底板部と中板部と天板部の三層からなり、サンダル本体の平面の大きさは足の大きさ以上に形成され、天板部は中板部の上に接着された少なくとも３つ以上の小片からなり、中板部の上に配された小片一個一個の色と形によりサンダル本体上面の色とデザインが形成されていることを特徴とする。 
【０００６】
また、請求項２記載のビーチサンダルは、上から見た形と色とデザインが動物、植物、物、食物、人間、機械、乗物または漫画・アニメのキャラクター等を象ったビーチサンダルであり、サンダル本体と鼻緒からなり、サンダル本体は底板部と中板部と天板部の三層からなり、サンダル本体の平面の大きさは足の大きさ以上に形成され、天板部の上面のプリント印刷によりサンダル本体上面の色とデザインが形成されていることを特徴とする。
【０００７】
また、請求項３記載のビーチサンダルは、前記請求項１または２記載のビーチサンダルにおいて、サンダル本体の底面は平面形状を左右反転させた形であり、サンダル本体の底面が接地する地面の形はサンダル本体の平面形状と同形であり、履いて歩くとモデルとなった動物、植物、物、食物、人間、機械、乗物または漫画・アニメのキャラクター等の形をした足跡が残せることを特徴とする。
【０００８】
また、請求項４記載のビーチサンダルは、前記請求項１、２または３記載のビーチサンダルにおいて、左右のサンダル本体で１つの動物、植物、物、食物、人間、機械、乗物または漫画・アニメのキャラクター等を象っていることを特徴とする。
【０００９】
また、請求項５記載のビーチサンダルは、前記請求項１、２、３または４記載のビーチサンダルにおいて、サンダル本体の平面形状は、少なくとも足を載せる部分を確保した上で、例えば口や嘴や耳や角や鰭や鋏や手や足や尾や羽等の突出部が少なくとも足を載せる部分より外側に形成されたことを特徴とする。
【００１０】
また、請求項６記載のビーチサンダルは、前記請求項１、２、３、４または５記載のビーチサンダルにおいて、天板部に中板部が露出するような穴が少なくとも１つ以上形成され、穴周辺の天板部の色と中板部の色とが異なっていることを特徴とする。
【００１１】
また、請求項７記載のビーチサンダルは、前記請求項１、３、４、５または６記載のビーチサンダルにおいて、少なくとも１つ以上の小片の周辺に中板部が露出するようなスリット等のスペースを少なくとも１箇所以上形成し、スペースに隣接している小片の色と中板部の色とが異なっていることを特徴とする。
【００１２】
また、請求項８記載のビーチサンダルは、前記請求項１、３、４、５、６または７記載のビーチサンダルにおいて、円状の小片と少なくとも１つ以上の輪状の小片とを組み合わせて天板部に目状の模様を形成したことを特徴とする。
【００１３】
また、請求項９記載のビーチサンダルは、前記請求項１、３、４、５、６、７または８記載のビーチサンダルにおいて、略楕円状の小片と少なくとも１つ以上の略円弧状の小片とを組み合わせて天板部に鱗状の模様または花びら状の模様を形成したことを特徴とする。
【００１４】
また、請求項１０記載のビーチサンダルは、前記請求項１、３、４、５、６、７、８または９記載のビーチサンダルにおいて、サンダル本体を構成している底板部と中板部と天板部の小片は合成樹脂であり、サンダル本体上面の配色は合成樹脂自体の色によるものであることを特徴とする。
【００１５】
また、請求項１１記載のビーチサンダルは、前記請求項１、３、４、５、６、７、８または９記載のビーチサンダルにおいて、サンダル本体を構成している底板部と中板部と天板部の小片は合成樹脂であり、小片上面にプリント印刷を施したことを特徴とする。
【考案の効果】
【００１６】
上記した本考案のビーチサンダルによれば、焼けた砂浜の熱等から足を守り足もとから熱を逃がすことは勿論のこと、砂浜でも歩きやすく、安全で、人目を惹き、耐久性が高く、複雑な構造はなく、合成樹脂の切断と接着だけで簡単に製造することができる。
【００１７】
請求項１記載の考案によれば、平板状の底板部と中板部と天板部の三層を接着したサンダル本体は構造的に非常に丈夫である。底板部と中板部と天板部の小片を接着し鼻緒を固着するだけで簡単に製造できる。サンダル本体の表面に鼻緒を固着しているので、足元の熱を指先から逃がすことができる。サンダル本体は足の大きさ以上の大きさなので、足や指を怪我から守ることができる。サンダル本体の平面形状は動植物や物や人間や機械や乗物や漫画・アニメのキャラクター等の形を象って形成されているので、特徴あるユニークなものとなる。例えば、魚や昆虫や鳥や獣や自動車やアニメキャラクター等の形をしたビーチサンダルを作ることができる。従来そのような形をしたビーチサンダルはなかった。天板部の形と色は小片の色と形を組み合わせによって形成されているため、サンダル本体に形を象られた動植物や物や人間や機械や乗物や漫画・アニメのキャラクター等の色彩的デザインを模して色の配置まで形成することができる。例えば、魚や昆虫や鳥や獣や自動車やアニメキャラクター等の色と形を模したビーチサンダルを作ることができる。また、模様や文字や数字や記号等をデザインすることも可能である。従来、このようにユニークな形と美しいデザインをしたビーチサンダルはなかった。このビーチサンダルを履くことで非常に目立つことができる。形に特徴があり履き間違えも起きない。ユニークな形と色をしたビーチサンダルで歩けば人目を惹くことができる。
【００１８】
請求項２記載の考案によれば、平板状の底板部と中板部と天板部の三層を接着したサンダル本体は構造的に非常に丈夫である。底板部と中板部と天板部を接着し鼻緒を固着するだけで簡単に製造できる。サンダル本体の表面に鼻緒を固着しているので、足元の熱を指先から逃がすことができる。サンダル本体は足の大きさ以上の大きさなので、足や指を怪我から守ることができる。サンダル本体の平面形状は動植物や物や人間や機械や乗物や漫画・アニメのキャラクター等の形を象って形成されているので、特徴あるユニークなものとなる。例えば、魚や昆虫や鳥や獣や自動車やアニメキャラクター等の形をしたビーチサンダルを作ることができる。従来そのような形をしたビーチサンダルはなかった。天板部の上面にプリント印刷を施してあるため、サンダル本体に形を象られた動植物や物や食物や人間や機械や乗物や漫画・アニメのキャラクター等の色彩的デザインを配することができる。例えば、魚や昆虫や鳥や獣や自動車やアニメキャラクター等の色と形を模したビーチサンダルを作ることができる。プリント印刷なので、グラデーションや多数の鱗等の細かいデザインが可能となる。また、模様や文字や数字や記号等をデザインすることも可能である。天板部の材料である合成樹脂版にプリント印刷を施し、底板部と中板部と天板部の材料となる合成樹脂板を接着し、プリント印刷されたモデルの輪郭線に沿って切断することで簡単にサンダル本体を製造することも可能である。従来、このようにユニークな形と美しいデザインをしたビーチサンダルはなかった。このビーチサンダルを履くことで非常に目立つことができる。形に特徴があり履き間違えも起きない。ユニークな形と色をしたビーチサンダルで歩けば人目を惹くことができる。
【００１９】
請求項３記載の考案によれば、履いて歩くとモデルとなっている動物、植物、物、食物、人間、機械、乗物または漫画・アニメのキャラクター等の形の足跡をつけることができる。砂浜に型押ししたような足跡をくっきりとつけることができる。乾いたプールサイドにスタンプを押したような足跡をくっきりとつけることができる。例えばサメ形のビーチサンダルであればサメの形の足跡がくっきりと残るので、非常に目立ち、人目を惹くことができる。
【００２０】
請求項４記載の考案によれば、左右のサンダル本体で１つの動物、植物、物、食物、人間、機械、乗物または漫画・アニメのキャラクター等を象ることができるので、一足で大きなデザインを形成することができる。デザインが大きいため迫力があり、非常に目立ち、人目を惹くことができる。
【００２１】
請求項５記載の考案によれば、足を載せる部分よりも外側の範囲の位置に、例えば口や嘴や耳や角や鰭や鋏や手や足や尾や羽等の突出部を形成することにより、従来ないユニークな形のビーチサンダルを作ることができる。このビーチサンダルを履くことで非常に目立つことができる。形に特徴があり履き間違えも起きない。突出部の分の接地面積が大きくなって砂に沈みにくくなり、突出部が砂に食い込んで滑りにくくなるため、非常に歩きやすくなる。突出部は足や指を怪我等から保護している。
【００２２】
請求項６記載の考案によれば、天板部に形成された穴から天板部とは異なる中板部の色が覗いて見えるデザインを施すことができる。穴の開いた天板部の小片と穴の奥の中板部の色が異なるので穴のデザインを目立たせることができる。天板部の穴に厚みがあるため立体的なデザインに見える。穴は例えばサメのエラや車の窓等を表現することができる。
【００２３】
請求項７記載の考案によれば、小片の周辺に形成されたスペースから天板部とは異なる中板部の色が覗いて見えるデザインを施すことができる。スペースの形は自由であり限定されないが、スリットはその代表例である。スペースに露出する中板部とスペースに隣接した小片の色が異なるのでスリット等のデザインを目立たせることができる。小片に厚みがあるため立体的なデザインに見える。スリットは例えば亀の甲羅や隈取等を表現することができる。足を載せる部分にスリット状等のスペースを形成することにより、通気性が向上し蒸れを防止し足裏の熱を効率よく逃がすことができ、足裏との摩擦を高めてサンダル本体上で足が滑るのを防止することができる。サンダル本体はスペース部分が薄いので反りやすくなるため、サンダル本体が足より大きくても楽に歩くことができる。
【００２４】
請求項８記載の考案によれば、円状の小片と少なくとも１つ以上の輪状の小片とを組み合わせることにより、天板部に目状の模様を形成することができる。例えば動物、植物、物、食物、人間、機械、乗物、漫画・アニメのキャラクター等の顔に、同心円状の目をつけることができる。この模様は目に限定されない。円状の小片と複数の輪状の小片を組み合わせれば、多重円の目状の模様を形成することもできる。
【００２５】
請求項９記載の考案によれば、略楕円状の小片と少なくとも１つ以上の略円弧状の小片とを組み合わせることにより、天板部に鱗状の模様または花びら状の模様を形成することができる。例えば魚に鱗状の模様をつけたり、植物に花びら状の模様をつけたりすることができる。この模様は鱗や花びらに限定されない。略楕円状の小片と複数の略円弧状の小片を組み合わせれば、略楕円形状を多重円弧で縁取った鱗状または花びら状の模様を形成することもできる。
【００２６】
請求項１０記載の考案によれば、底板部と中板部と天板部の材質は合成樹脂なので、接着後の一体性が非常に堅固であり耐久性が高い。色の違いはもともと色を有している色違いの合成樹脂を使用しているため、時間経過による褪色も少なく、足裏で長時間こすれても色落ちすることがない。動物、植物、物、食物、人間、機械、乗物、漫画・アニメのキャラクター等の色褪せや色落ちがないため、長期にわたってビーチサンダルのファッション性とデザインを維持することができる。
【００２７】
請求項１１記載の考案によれば、上面にプリント印刷による色やデザインが施された天板部の小片を中板部の上に配することにより、小片一個一個の色と形によりサンダル本体上面の色とデザインを形成することができる。
【考案を実施するための最良の形態】
【００２８】
以下に、図面を参照しつつ上記考案の実施形態について説明するが、本考案はこれらの実施形態のみに限定されるべきでないことは言うまでもない。
本考案のビーチサンダルは、サンダル本体１と、サンダル本体１の表面に固着された鼻緒２からなる。
図中１のサンダル本体１は、平板状の底板部３と中板部４と天板部５の三層を接着して形成されている。底板部３と中板部４と天板部５は、それぞれが一定の厚みを有した平板状の側面形状をしている。サンダル本体１の平面形状は動物、植物、物、食物、人間、機械、乗物または漫画・アニメのキャラクター等の形を象って形成される。例えば鳥や魚や犬や猫や品物や自動車や飛行機や怪獣や漫画・アニメの主人公等、何でもビーチサンダルのモデルにできる。口や嘴や耳や角や鰭や鋏や手や足や尾や羽等の突出部９は、足を載せる部分７よりも外側の範囲の位置に形成される。
図中５の天板部５は、少なくとも３つ以上の小片８からなる。各小片８は中板部４の上に配され接着されている。小片８同士の隣接部分は接着される。小片８の色と形の組み合わせにより天板部５の色の配置を構成している。小片８の形と色により動植物や物や人間や機械や乗物や漫画・アニメのキャラクター等の色を模す。例えば魚の鰭部分が青く体は赤く目が黒い場合であれば、鰭の形をした青い小片８と体の形をした赤い小片８と目の形をした黒い小片８を組み合わせる。
サンダル本体１を構成している底板部３と中板部４と天板部５の小片８は合成樹脂であり、合成樹脂の色は合成樹脂自体の色を用いている。合成樹脂の色というのは、例えば、白や黒や灰色や赤や青や黄色や緑やオレンジやピンクや紫といったものから、無色または色付きの透明や半透明といったものまで、実に多様である。
【００２９】
図１、図４〜図８は熱帯魚の形と色をした第１実施形態のビーチサンダルであり、図７と図８は小片８の一部が変更されている。図２は目、図３は鱗の構造である。
まず、図１〜図６のビーチサンダルについて説明する。サンダル本体１の平面形状は熱帯魚の形を象っている。サンダル本体１は、サンダル本体１と同じ形に形成された底板部３と中板部４と天板部５を接着して製造されたものである。図中６は、サンダル本体１の底面と表面つまり底板部３の底面と天板部５の表面に形成された滑り止め模様６である。底面の滑り止め模様６は砂浜等の地面との摩擦を強めて滑りを防止するためであり、表面の滑り止め模様６は足裏との摩擦を強めて滑りを防止するためである。天板部５は１５個の小片８を組み合わせ接着して形成されている。色の一例をあげると、底板部３は黒、中板部４は白、天板部５には５色の小片８を用いた。熱帯魚はデザインがカラフルなのでその分小片８の数も多くなる。一番大きな小片８である体の小片８は、体と背鰭と臀鰭と４個の嵌込穴を有している。胸鰭の小片８が嵌込穴に嵌め込まれ接着されている。略円弧状の小片８，１１と略楕円状の小片８，１２が鱗の嵌込穴に嵌め込まれ接着されて鱗状の模様を形成している（図３参照。）。口と嵌込穴が形成された顔の小片８は体の小片と組み合わせて接着されている。円状の小片８，１４と輪状の小片８，１３が目の嵌込穴にはめ込まれ接着されて目状の模様を形成している（図２参照。）。体の小片８の下方に腹鰭の小片８が組み合わされ接着されている。前記体の小片８の後に尾鰭の小片８が組み合わされ接着されている。頭部と背鰭の間に頭頂の小片８が組み合わされ接着されている。体の小片８の背鰭の下にライン模様をあらわす小片８が組み合わされ接着されている。このように小片８を組み合わせ接着した天板部５は、熱帯魚の形に形成され、色は、体が緑、顔と胸鰭と腹鰭と尾鰭がオレンジ、頭頂とライン模様と白目が白、瞳が黒となる。サンダル本体１の面積は足を載せる部分７より大きく、足の面積の約２倍にもなる（図６参照。）。突出部９を形成しているのは、口、鋸状の背鰭、後方に伸びた背鰭の端、尾鰭、後方に伸びた臀鰭、腹鰭である。サンダル本体１の前方は足を載せる部分７よりも３ｃｍほど長く形成され、突出部９である第１背鰭と第２背鰭と胸鰭と臀鰭と尾鰭は足を載せる部分７よりも外側に形成されている。（図６参照。）。
鼻緒２はサンダル本体１の表面の３箇所に固定されている（図５、図６参照。）。
【００３０】
図７と図８のサンダル本体１は、上記の図１〜図６のビーチサンダルとほぼ同じ構造であるが、胸鰭の下側に小片８が１個増えて小片８は全部で１６個あり、胸鰭の小片８と胸鰭の下にある小片８の周辺に中板部４が露出するようなスペース１５を設けてスリットを形成している点が違っている。スペース１５に隣接している小片８の色と中板部４の色は異なっているため、非常に目立つデザインになっている。小片８の周辺のどこにスペース１５を形成するかは自由であるが、ここでは、胸鰭の小片８の全周と、胸鰭の下にある小片８の三方に、スリットが形成されている。このスリットは足を載せる部分７に形成されているため、通気性を良くして蒸れを防ぎ足裏の熱を逃がす効果と、足裏の滑りを防止する効果がある。
【００３１】
図９〜図１２はサメの形と色をした第２実施形態のビーチサンダルであり、図１０〜図１２は小片８の一部が変更されている。図２は目の構造である。
まず、図９のビーチサンダルについて説明する。サンダル本体１の平面形状はサメの形を象っている。サンダル本体１は、サンダル本体１と同じ形に形成された底板部３と中板部４と天板部５を接着して製造されたものである。図中６は、サンダル本体１の底面と表面つまり底板部３の底面と天板部５の表面に形成された滑り止め模様６である。底面の滑り止め模様６は砂浜等の地面との摩擦を強めて滑りを防止するためであり、表面の滑り止め模様６は足裏との摩擦を強めて滑りを防止するためである。天板部５は３個の小片８を組み合わせ接着して形成されている。色の一例をあげると、底板部３は黒、中板部４は白、天板部５は３色の小片８を用いた。サメは色が少ないのでその分小片８の数も少なくなる。体の小片８が一番大きく、体と第１背鰭と第２背鰭と胸鰭と臀鰭を有し、目の嵌込穴と４つのエラの穴１０を有している。円状の小片８，１４と輪状の小片８，１３が目の嵌込穴にはめ込まれ接着されて目状の模様を形成している（図２参照。）。このように小片８を組み合わせ接着した天板部５は、サメの形に形成され、色は、体が青、白目が白、瞳が黒となる。青い小片８のエラの穴１０から白い中板部４の表面が露出して見える。エラになっている複数の穴１０は親指が載る位置に形成されているため、親指の滑り止めにもなっている。サンダル本体１の面積は足を載せる部分７より大きく（図１１参照。）。突出部９を形成しているのは、第１背鰭、第２背鰭、尾鰭、胸鰭、臀鰭である。サメが口を開いている姿を象っており、内側に切れ込みを入れて口を形成している。サンダル本体１の前方は足を載せる部分７よりも７ｃｍほど長く形成され、突出部９である背鰭と背鰭後部と腹鰭と臀鰭と尾鰭は足を載せる部分７よりも外側に形成されている。（図９参照。）。
鼻緒２はサンダル本体１の表面の３箇所に固定されている（図７、９参照。）。
図１３と図１４はサメを象ったビーチサンダルで砂浜とプールサイドを歩いた場合のくっきりと残されたサメ形の足跡をあらわす。波打ち際の水分を含んだ砂浜を歩くと型押しされたような足跡が残る（図１３参照。）。濡れたビーチサンダルでプールサイドを歩くとコンクリートの上に濡れた足跡が残る（図１４参照。）。とてもユニークな足跡なので非常に人目を惹くことができる。
【００３２】
図１０〜図１２のビーチサンダルは、上記の図９のビーチサンダルとほぼ同じ構造であるが、鼻の部分と尾鰭の後端に小片８が２個増えて小片８は全部で５個あり、尾鰭の小片８だけ肌の色を変えてあり、鼻の小片８と尾鰭の小片８の周辺に中板部４が露出するようなスペース１５を設けてスリットを形成している点が違っている。スペース１５に隣接している小片８の色と中板部４の色は異なっているため、非常に目立つデザインになっている。小片８の周辺のどこにスペース１５を形成するかは自由であるが、ここでは、鼻の小片８の後側と尾鰭の小片８の前側に、スリットが形成されている。このスリットによりサンダル本体１が鼻の部分と尾鰭の部分で上に反りやすくなるため結果的に歩きやすさを高める効果もある。
【００３３】
図１５はタツノオトシゴを象った第３実施形態のビーチサンダルであり、天板部５上面にプリント印刷で色とデザインが施されている。図１６はカニを象った第４実施形態のビーチサンダルであり、天板部４は６つの小片からなり、履いて歩くとカニが横歩きしているように見え、カニが横に動くように見える足跡が残る。図１７は左右のサンダル本体１，１に亀を象った第３実施形態のビーチサンダルであり、片足の天板部４は１０の小片からなり、甲羅模様はスペース１５で縁取りされている。このスリットは足を載せる部分７にも形成されているので、通気性を良くして蒸れを防ぎ足裏の熱を逃がす効果と、足裏の滑りを防止する効果がある。
【００３４】
以上述べたように本考案は、鼻緒２と動物や植物や物や人間や機械や乗物や漫画・アニメのキャラクター等の形を象ったサンダル本体１からなり、サンダル本体１は底板部３と中板部４と天板部５からなり、天板部５は少なくとも３つ以上の小片８からなり、天板部５は色違いの小片８を組み合わせることで動物や植物や物や人間や機械や乗物や漫画・アニメのキャラクター等の形と色を有していることを特徴とする。
【図面の簡単な説明】
【００３５】
【図１】第１実施形態のサンダル本体の構造を示す斜視図。
【００３６】
【図２】目状の模様の構造を示す部分拡大斜視図。
【００３７】
【図３】鱗状または花びら状の模様の構造を示す部分拡大斜視図。
【００３８】
【図４】第１実施形態のサンダル本体を示す斜視図。
【００３９】
【図５】第１実施形態のビーチサンダルを示す斜視図。
【００４０】
【図６】第１実施形態のビーチサンダルを履いている状態を示す平面図。
【００４１】
【図７】スペースを設けスリットを形成した第１実施形態のサンダル本体を示す平面図。
【００４２】
【図８】図７のサンダル本体の断面図。
【００４３】
【図９】第２実施形態のビーチサンダルを示す平面図。
【００４４】
【図１０】スペースを設けスリットを形成した第２実施形態のビーチサンダルを示す平面図。
【００４５】
【図１１】図１０のビーチサンダルを履いている状態を示す平面図。
【００４６】
【図１２】図１０のサンダル本体の断面図。
【００４７】
【図１３】第２実施形態のビーチサンダルで砂浜を歩いた場合の足跡を示す説明図。
【００４８】
【図１４】第２実施形態のビーチサンダルでプールサイドを歩いた場合の足跡を示す説明図。
【００４９】
【図１５】第３実施形態のビーチサンダルを示す平面図。
【００５０】
【図１６】第４実施形態のビーチサンダルを示す平面図。
【００５１】
【図１７】第５実施形態のビーチサンダルを示す平面図。
【符号の説明】
【００５２】
１    サンダル本体
２    鼻緒
３    底板部
４    中板部
５    天板部
７    足を載せる部分
８    小片
９    突出部
１０    穴
８，１１    略円弧状の小片
８，１２    略楕円状の小片
８，１３    輪状の小片
８，１４    円状の小片
１５    スペース
【図１】
0003126479.tif 000003
【図２】
0003126479.tif 000004
【図３】
0003126479.tif 000005
【図４】
0003126479.tif 000006
【図５】
0003126479.tif 000007
【図６】
0003126479.tif 000008
【図７】
0003126479.tif 000009
【図８】
0003126479.tif 000010
【図９】
0003126479.tif 000011
【図１０】
0003126479.tif 000012
【図１１】
0003126479.tif 000013
【図１２】
0003126479.tif 000014
【図１３】
0003126479.tif 000015
【図１４】
0003126479.tif 000016
【図１５】
0003126479.tif 000017
【図１６】
0003126479.tif 000018
【図１７】
0003126479.tif 000019